(57)【要約】【課題】一斉指令放送時に、指令卓の表示画面上に指令電話子機（指令回線）の状態を、状態に即したカラー表示するとともに、指令電話子機から指令卓に緊急の要件を双方向通話で通知可能にする通信指令システムを提供する。【解決手段】鉄道会社の統合司令室に設置した指令制御装置２と、指令制御装置２に収容され、指令制御装置２からの表示要求に対応して、複数の指令電話子機Ｔａ１〜Ｔａｎおよび指令電話子機Ｔｂ１〜Ｔｂｎの一斉呼出し状態、応答状態、双方向通話状態、双方向通話禁止状態をカラーで表示するカラー表示器と、カラー表示器のカラー表示を制御するカラー表示制御手段とを有する指令卓Ａ〜Ｎを備える。【選択図】図１
2007134882.tif 000002
【特許請求の範囲】
【請求項１】
統合指令室に設置し、路線毎に対応した一斉指令を行う複数の指令卓と、前記複数の指令卓を接続する複数の指令卓ライン回路と、前記複数の指令卓ライン回路、複数の指令用ライン回路、複数のデジタル専用線トランクを収容する指令制御装置と、路線毎の各駅に設置し、専用線またはデジタル専用線を介して前記指令ライン回路や前記デジタル専用線トランクに接続される複数の指令電話子機と、からなる通信指令システムにおいて、
前記指令卓は、前記指令制御装置からの表示要求に対応して、前記複数の指令電話子機の一斉呼出し状態、応答状態、双方向通話状態、双方向通話禁止状態をカラーで表示するカラー表示器と、前記カラー表示器のカラー表示を制御するカラー表示制御手段と、を備えたことを特徴とする通信指令システム。
【請求項２】
前記指令制御装置は、前記指令卓から前記複数の指令電話子機へ片方向通話の一斉指令放送を実行中に、前記指令電話子機から双方向通話への切替信号を受信すると、切替信号を発生した前記指令電話子機と前記指令卓を会議トランクに接続し、前記会議トランクを介して前記指令電話子機と前記指令卓との双方向通話を実行制御することを特徴とする請求項１記載の通信指令システム。
【請求項３】
前記指令制御装置は、双方向通話への切替信号を発生する前記指令電話子機の台数が予め設定した規制台数を超えた場合、規制台数を超えた前記指令電話子機の双方向通話を禁止することを特徴とする請求項２記載の通信指令システム。
【請求項４】
複数の指令電話子機の状態をカラーで表示する指令卓の表示方法であって、
指令電話子機の一斉呼出しを第一色（緑色）点滅で表示するステップＳ１と、
呼出しに応答した指令電話子機を第一色（緑色）点灯で表示するステップＳ２と、
一斉通報中に、指令電話子機から双方向通話の要求があり、要求があった指令電話子機を第二色（水色）点灯で表示するステップＳ３と、
指令電話子機から双方向通話の要求があっても、規制数を超えた場合には、要求があった指令電話子機を第三色（薄紫）点灯で表示するステップＳ４と、
を備えたことを特徴とする指令卓の表示方法。
【請求項５】
ステップＳ１と並行して、
指令電話子機が予め不在設定されている場合、一斉呼出し時に、第四色（青色）点灯と、不在を表す文字（ABS）で表示するサブステップＳＵＢ１を備えたことを特徴とする請求項４記載の指令卓の表示方法。
【発明の詳細な説明】
【技術分野】
【０００１】
本発明は、鉄道会社の統合司令室に設置した指令卓から路線毎の主要駅に設置された指令電話子機に、グループ一斉指令の放送（片方向通話）を行う通信指令システムに係り、特に、指令卓の表示画面上に指令電話子機（指令回線）の状態を、状態に即したカラー表示するとともに、一斉指令通信中に、指令電話子機から指令卓に緊急の要件を双方向通話で通知可能にする通信指令システムに関する。
【背景技術】
【０００２】
図７に従来の通信指令システムの一実施例システム構成図を示す。図７において、通信指令システム５１は、統合司令室に設置した路線毎の指令卓ａ〜指令卓ｎからの発信情報を指令制御装置５２が指令卓ライン回路ＬＮａ〜ＬＮｎを介して受信した後、指令用ライン回路ＬＳ１〜ＬＳｎまたはデジタル専用線トランクＤＬ１〜ＤＬｎを介して、アナログ専用線に接続された指令電話子機Ｔａ１〜Ｔａｎや、データ搬送装置５５を介してＬＡＮノード５６に接続された指令電話子機Ｔｂ１〜Ｔｂｎを一斉に呼び出す。
【０００３】
一斉呼出しされた指令電話子機Ｔａ１〜Ｔａｎおよび指令電話子機Ｔｂ１〜Ｔｂｎが受話器（ハンドセット）を持ち上げる（オフフック）ことにより、指令卓ａ〜指令卓ｎに対して応答通知を行う。
【０００４】
指令卓ａ〜ｎは、統合司令室の指令デスク内に組み込まれ、路線毎の主要駅に設置された指令電話子機Ｔａ１〜Ｔａｎや指令電話子機Ｔｂ１〜Ｔｂｎをグループ分けした指令電話子機に対して、グループ一斉呼出しを行い、グループの指令電話子機の大部分が応答した時点で、応答したグループの指令電話子機に一斉指令の放送（片方向通話ＴS）を実行する。
【０００５】
また、指令卓ａ〜ｎは、それぞれ管轄する指令電話子機が収容される指令回線名（指令電話子機Ｔａ１〜Ｔａｎ、指令電話子機Ｔｂ１〜Ｔｂｎに相当）が記載された指令回線名称部を備えた照光式押し釦スイッチやプラズマ（蛍光表示）式表示器を有し、グループ一斉呼出しや一斉呼出しに応答した指令回線名に該当した押し釦スイッチやプラズマ（蛍光表示）式表示器の表示部を照光するように構成されている。
【０００６】
指令電話子機Ｔａ１〜Ｔａｎや指令電話子機Ｔｂ１〜Ｔｂｎは、主に路線毎の主要駅のホームや駅務室に設置され、指令用ライン回路ＬＳ１〜ＬＳｎまたはデジタル専用線トランクＤＬ１〜ＤＬｎを介して指令制御装置５２と接続される２線式のアナログ電話機であり、指令卓ａ〜ｎからの一斉呼出しに対する、応答（ハンドセットのオフフック）時に、応答情報（ループ信号）を指令制御装置５２に送出する。
【０００７】
また、指令電話子機Ｔａ１〜Ｔａｎや指令電話子機Ｔｂ１〜Ｔｂｎは、待機（オンフック）時に、ハンドセットを持ち上げる（オフフックする）ことにより、自動的に指令卓ａ〜ｎを呼出し、指令卓ａ〜ｎが呼出しに応答することで、指令卓ａ〜ｎと通話（双方向通話）を行う。
【０００８】
上記のように、従来の通信指令システム５１は、統合司令室の指令卓ａ〜ｎから路線毎の主要駅に設置された指令電話子機Ｔａ１〜Ｔａｎや指令電話子機Ｔｂ１〜Ｔｂｎのグループ毎に、一斉呼出しを行った後に、一斉指令放送（片方向通話ＴS）を実行する。
【０００９】
なお、指令卓ａ〜ｎの司令員は、指令卓ａ〜ｎに設けた照光式押し釦スイッチやプラズマ（蛍光表示）式表示器で、指令電話子機の呼出し状態や応答状態を目視確認しながら一斉指令放送の運用を行う。
【００１０】
また、従来の通信指令システムは、「特許文献１」（一斉指令の再呼出方式）に開示されているように、指令台より指令電話子機に対して一斉指令を行った場合、一斉指令に応答しない指令電話子機や話中の指令電話子機があっても、応答のなかった指令電話子機の不応答情報をメモリに記憶しておき、指令台から再呼出し指令操作がなされると、メモリに記憶された不応答情報により、応答のなかった指令電話子機を呼び出すものが知られている。
【特許文献１】特開平７−７９２８７号公報
【発明の開示】
【発明が解決しようとする課題】
【００１１】
従来の通信指令システム５１および「特許文献１」に開示された通信指令システムは、指令卓から路線毎の主要駅に配置された指令電話子機に対して、一斉に呼出しをかけ、一斉指令放送（片方向通話ＴS）を実行することができるが、一斉指令放送が片方向通話ＴSであるため、一斉指令放送中に、指令電話子機から指令卓や一斉指令放送を受けている他の指令電話子機に緊急の通報ができない課題がある。
【００１２】
例えば、一斉指令放送中に、一斉指令放送を受信中の駅などに一刻を争う緊急事態が発生し、直ちに統合司令室（指令卓）に連絡を取り、指示を仰ぐとともに、最寄りの駅からの応援を要請するようなケースでは、指令卓や最寄りの駅の指令電話子機と双方向通話を行い、緊急事態の内容を通知しなければならない状況が想定される。
【００１３】
また、従来の通信指令システムは、指令卓に、指令回線名称部を備えた照光式押し釦スイッチやプラズマ（蛍光表示）式表示器を設け、一斉指令通信の対象となる指令回線（指令電話子機に相当）の一斉呼出し状態表示、応答状態表示や不在状態表示などの回線状態表示を行っているが、照光式押し釦スイッチの場合は、指令回線名称部の照光表示と照光反転表示だけの認識が可能であり、プラズマ（蛍光表示）式表示器の場合には、指令回線名称部の反転表示または指令回線名称枠部の太枠表示や二重枠表示などにより認識が可能である。
【００１４】
しかし、グループ一斉指令の際、１画面上で指令回線（指令電話子機に相当）の様々な状態表示を単色の点灯表示および消灯表示の組合せで表示した場合には、画面表示が複雑化してしまい、表示が見づらくなって指令回線（指令電話子機に相当）の状態認識が困難になり、一斉指令の運用に支障を生じる課題がある。
【００１５】
この発明はこのような課題を解決するためになされたもので、その目的は一斉指令放送時に、指令卓の表示画面上に指令電話子機（指令回線）の状態を、状態に即したカラー表示するとともに、指令電話子機から指令卓に緊急の要件を双方向通話で通知可能にする通信指令システムおよび指令卓の表示方法を提供することにある。
【課題を解決するための手段】
【００１６】
前記課題を解決するためこの発明に係る通信指令システムは、統合指令室に設置し、路線毎に対応した一斉指令を行う複数の指令卓と、複数の指令卓を接続する複数の指令卓ライン回路と、複数の指令卓ライン回路、複数の指令用ライン回路、複数のデジタル専用線トランクを収容する指令制御装置と、路線毎の各駅に設置し、専用線またはデジタル専用線を介して指令ライン回路やデジタル専用線トランクに接続される複数の指令電話子機と、からなる通信指令システムにおいて、指令卓は、指令制御装置からの表示要求に対応して、複数の指令電話子機の一斉呼出し状態、応答状態、双方向通話状態、双方向通話禁止状態をカラーで表示するカラー表示器と、カラー表示器のカラー表示を制御するカラー表示制御手段とを備えたことを特徴とする。
【００１７】
この発明に係る通信指令システムにおいて、指令卓は、指令制御装置からの表示要求に対応して、複数の指令電話子機の一斉呼出し状態、応答状態、双方向通話状態、双方向通話禁止状態をカラーで表示するカラー表示器と、カラー表示器のカラー表示を制御するカラー表示制御手段とを備えたので、指令卓の管轄するグループの一斉指令に対する複数の指令電話子機の動作状態をカラー表示画面上で認識することができる。
【００１８】
また、この発明に係る指令制御装置は、指令卓から複数の指令電話子機へ片方向通話の一斉指令放送を実行中に、指令電話子機から双方向通話への切替信号を受信すると、切替信号を発生した指令電話子機と指令卓を会議トランクに接続し、会議トランクを介して指令電話子機と指令卓との双方向通話を実行制御することを特徴とする。
【００１９】
この発明に係る指令制御装置は、指令卓から複数の指令電話子機へ片方向通話の一斉指令放送を実行中に、指令電話子機から双方向通話への切替信号を受信すると、切替信号を発生した指令電話子機と指令卓を会議トランクに接続し、会議トランクを介して指令電話子機と指令卓との双方向通話を実行制御するので、一斉指令放送を受信中の駅などに一刻を争う緊急事態が発生した場合、指令電話子機から双方向通話への切替信号を送出し、指令卓と指令電話子機とを双方向通話状態にして、指令電話子機から指令卓に緊急事態を報告し、指令卓から指示を仰ぐことができるとともに、近隣の駅の指令電話子機も切替信号を送出して双方向通話に加わってもらい、応援を要請することもできる。
【００２０】
さらに、この発明に係る指令制御装置は、双方向通話への切替信号を発生する指令電話子機の台数が予め設定した規制台数を超えた場合、規制台数を超えた指令電話子機の双方向通話を禁止することを特徴とする。
【００２１】
この発明に係る指令制御装置は、双方向通話への切替信号を発生する指令電話子機の台数が予め設定した規制台数を超えた場合、規制台数を超えた指令電話子機の双方向通話を禁止するので、双方向通話（会議通話）に参加する指令電話子機の台数を制限して、通話内容を聞き取り易くすることができる。
【００２２】
また、この発明に係る指令卓の表示方法は、複数の指令電話子機の状態をカラーで表示する指令卓の表示方法であって、指令電話子機の一斉呼出しを第一色（緑色）点滅で表示するステップＳ１と、呼出しに応答した指令電話子機を第一色（緑色）点灯で表示するステップＳ２と、一斉通報中に、指令電話子機から双方向通話の要求があり、要求があった指令電話子機を第二色（水色）点灯で表示するステップＳ３と、指令電話子機から双方向通話の要求があっても、規制数を超えた場合には、要求があった指令電話子機を第三色（薄紫）点灯で表示するステップＳ４とを備えたことを特徴とする。
【００２３】
この発明に係る指令卓の表示方法は、指令電話子機の一斉呼出しを第一色（緑色）点滅で表示するステップＳ１と、呼出しに応答した指令電話子機を第一色（緑色）点灯で表示するステップＳ２と、一斉通報中に、指令電話子機から双方向通話の要求があり、要求があった指令電話子機を第二色（水色）点灯で表示するステップＳ３と、指令電話子機から双方向通話の要求があっても、規制数を超えた場合には、要求があった指令電話子機を第三色（薄紫）点灯で表示するステップＳ４とを備えたので、複数の指令電話子機の状態を一目で認識することができる。
【００２４】
さらに、この発明に係る指令卓の表示方法は、指令電話子機が予め不在設定されている場合、一斉呼出し時に、第四色（青色）点灯と、不在を表す文字（ABS）で表示することを特徴とする。
【００２５】
この発明に係る指令卓の表示方法は、指令電話子機が予め不在設定されている場合、一斉呼出し時に、第四色（青色）点灯と、不在を表す文字（ABS）で表示するサブステップＳＵＢ１を備えたので、指令卓の司令員は、画面上の色ならびに文字表示から駅員の不在を確認し、一斉指令放送終了時に、再度、駅員不在の指令電話子機向けに指令を発することができる。
【発明の効果】
【００２６】
この発明に係る通信指令システムにおいて、指令卓は、指令制御装置からの表示要求に対応して、複数の指令電話子機の一斉呼出し状態、応答状態、双方向通話状態、双方向通話禁止状態をカラーで表示するカラー表示器と、カラー表示器のカラー表示を制御するカラー表示制御手段とを備えたので、指令卓の管轄するグループの一斉指令に対する複数の指令電話子機の動作状態をカラー表示画面上で認識することができ、指令卓の司令員の指令業務を円滑に運用することができる。
【００２７】
また、この発明に係る指令制御装置は、指令卓から複数の指令電話子機へ片方向通話の一斉指令放送を実行中に、指令電話子機から双方向通話への切替信号を受信すると、切替信号を発生した指令電話子機と指令卓を会議トランクに接続し、会議トランクを介して指令電話子機と指令卓との双方向通話を実行制御するので、一斉指令放送を受信中の駅などに一刻を争う緊急事態が発生した場合、指令電話子機から双方向通話への切替信号を送出し、指令卓と指令電話子機とを双方向通話状態にして、指令電話子機から指令卓に緊急事態を報告し、指令卓から指示を仰ぐことができるとともに、近隣の駅の指令電話子機も切替信号を送出して双方向通話に加わってもらい、応援を要請することもでき、駅で発生した緊急事態などに協力して迅速に対応することができる。
【００２８】
さらに、この発明に係る指令制御装置は、双方向通話への切替信号を発生する指令電話子機の台数が予め設定した規制台数を超えた場合、規制台数を超えた指令電話子機の双方向通話を禁止するので、双方向通話（会議通話）に参加する指令電話子機の台数を制限して、通話内容を聞き取り易くすることができ、使い勝手の良さをアピールすることができる。
【００２９】
また、この発明に係る指令卓の表示方法は、指令電話子機の一斉呼出しを第一色（緑色）点滅で表示するステップＳ１と、呼出しに応答した指令電話子機を第一色（緑色）点灯で表示するステップＳ２と、一斉通報中に、指令電話子機から双方向通話の要求があり、要求があった指令電話子機を第二色（水色）点灯で表示するステップＳ３と、指令電話子機から双方向通話の要求があっても、規制数を超えた場合には、要求があった指令電話子機を第三色（薄紫）点灯で表示するステップＳ４とを備えたので、複数の指令電話子機の状態を一目で認識することができ、利便性の向上をアピールすることができる。
【００３０】
さらに、この発明に係る指令卓の表示方法は、指令電話子機が予め不在設定されている場合、一斉呼出し時に、第四色（青色）点灯と、不在を表す文字（ABS）で表示するサブステップＳＵＢ１を備えたので、指令卓の司令員は、画面上の色ならびに文字表示から駅員の不在を確認し、一斉指令放送終了時に、再度、駅員不在の指令電話子機向けに指令を発することができ、一斉指令放送の漏れを最小限に抑えることができる。
【発明を実施するための最良の形態】
【００３１】
以下、この発明の実施の形態を添付図面に基づいて説明する。図１はこの発明に係る通信指令システムの一実施の形態システム構成図である。図１において、通信指令システム１は、鉄道会社の統合司令室に設置した指令制御装置２と、指令制御装置２に収容される指令卓ライン回路ＬＮａ〜ＬＮｎと、会議トランク３と、保守用コンソール４と、指令用ライン回路ＬＳ１〜ＬＳｎと、デジタル専用線トランクＤＬ１〜ＤＬｎと、指令卓ライン回路ＬＮａ〜ＬＮｎのそれぞれに接続し、路線毎の主要駅に一斉指令を行う指令卓Ａ〜Ｎと、指令用ライン回路ＬＳ１〜ＬＳｎにアナログ専用線を介して接続される路線毎の主要駅に設置する指令電話子機Ｔａ１〜Ｔａｎと、デジタル専用線トランクＤＬ１〜ＤＬｎにデータ搬送装置５、ＬＡＮノード６を介して接続される路線毎の主要駅に設置する指令電話子機Ｔｂ１〜Ｔｂｎとから構築する。
【００３２】
指令制御装置２は、通話路制御装置７、中央制御装置８、主記憶装置９を備え、主記憶装置９に設定したプログラムデータに基づいて中央制御装置８の制御により、通話路制御装置７が指令卓Ａ〜Ｎから指令電話子機Ｔａ１〜Ｔａｎおよび指令電話子機Ｔｂ１〜Ｔｂｎへの一斉指令放送（片方向通話ＴS）ならびにカラー表示要求、一斉指令放送（片方向通話ＴS）中の任意の指令電話子機と指令卓との間の双方向通話ＴBならびにカラー表示要求、指令電話子機からの双方向通話ＴBの規制ならびにカラー表示要求、不在登録のカラー表示要求を実行制御する。
【００３３】
また、指令制御装置２は、指令卓Ａ〜Ｎから一斉指令の呼出し要求を受けると、対象となる指令電話子機Ｔａ１〜Ｔａｎおよび指令電話子機Ｔｂ１〜Ｔｂｎに一斉呼出しを実行するとともに、指令卓Ａ〜Ｎに一斉呼出し表示要求を送信する。
【００３４】
さらに、指令制御装置２は、指令電話子機Ｔａ１〜Ｔａｎおよび指令電話子機Ｔｂ１〜Ｔｂｎから一斉呼出しに対する応答信号を受信すると、指令卓Ａ〜Ｎに応答表示要求を送信する。
【００３５】
また、指令制御装置２は、一斉呼出し時に、任意の指令電話子機から不在信号を受信すると、該当する指令卓Ａ〜Ｎ、に不在表示要求を送信する。
【００３６】
さらに、指令制御装置２は、一斉指令放送（片方向通話ＴS）中に、任意の指令電話子機から切替信号Ｓｗを受信すると、切替信号Ｓｗを受信した指令電話子機と該当する指令卓Ａ〜Ｎを会議トランク３に接続して指令電話子機と該当する指令卓Ａ〜Ｎの双方向通話ＴBを実行制御するとともに、該当する指令卓Ａ〜Ｎに、双方向通話表示要求を送信する。
【００３７】
また、指令制御装置２は、保守用コンソール４から入力設定された双方向通話ＴBへの切替信号Ｓｗを発生する指令電話子機の規制台数を記憶し、双方向通話ＴBへの切替信号Ｓｗを発生する指令電話子機が規制台数を超えた場合には、規制台数を超えた指令電話子機の双方向通話ＴBを禁止するとともに、該当する指令卓Ａ〜Ｎに双方向通話禁止表示要求を送信する。
【００３８】
指令卓Ａ〜Ｎは、主に統合司令室の指令デスクの内部に組み込まれ、デジタル音声信号をアナログ音声信号に変換するコーデック、画面構成データ（指令回線名称データ）を蓄積するメモリ、指令卓の動作を制御する制御装置、指令制御装置２から供給される各種表示要求に基づいてカラーディスプレイ部（カラー表示器）の指令回線名称部に、表示要求に対応した色で表示させる制御を行うカラー表示制御手段、照光式押し釦スイッチで構成された指令呼出キーや指令開始キーなどのファンクションキー等を備える。
【００３９】
図２はこの発明に係る指令卓の一実施の形態概観図である。なお、指令卓Ａ〜Ｎは同一構成で同一動作をするので、指令卓Ａについて説明する。図２において、指令卓Ａは、左右の受話器置き部１０と、左右の受話器（図示せず）の受話器フックスイッチ部１１と、指令卓Ａが一斉指令の対象とする路線の指令電話子機（例えば、指令電話子機Ｔａ１〜Ｔａｎ）が接続される路線名称などを表示するタッチパネル式のカラーディスプレイ部１２と、一斉指令呼出しキー、一斉指令放送を開始する指令開始キーを有するファンクションキー部１３と、左右のハンドセット接続用モジュラジャック１４と、左受話音量ボリューム１５と、右受話音量ボリューム１６などを備える。
【００４０】
図３はこの発明に係るカラーディスプレイ部の一実施の形態表示画面図である。図３において、カラーディスプレイ部１２は、管轄する路線の主要駅に設置された指令電話子機Ｔａ１〜Ｔａｎが接続される指令回線（図では、０１〜７２指令回線）を表す指令回線名称部１２ａ、一斉指令の呼出しを行うための指令呼出部１２ｂ、指令回線の応答状態を見ながら一斉指令放送を開始するための指令開始部１２ｃなどを備え、指令回線（例えば、０１〜７２指令回線）の状態に応じて指令制御装置２から送信されてくる表示要求に基づいてカラー表示制御手段の制御によるカラーを指令回線名称部１２ａに表示する。
【００４１】
例えば、一斉指令呼出し時に、指令制御装置２から一斉呼出し表示要求があると、該当する指令回線名称部１２ａを第一色（例えば、緑色）点滅で表示するので、指令卓Ａの司令員は、一斉呼出し中の指令回線（指令電話子機Ｔａ１〜Ｔａｎ）を目視で判別することができる。
【００４２】
また、一斉指令呼出しに指令回線（指令電話子機Ｔａ１〜Ｔａｎ）が応答時に、指令制御装置２から応答表示要求があると、該当する指令回線名称部１２ａを第一色（例えば、緑色）点灯で表示するので、指令卓Ａの司令員は、応答した指令回線（指令電話子機Ｔａ１〜Ｔａｎ）を目視で判別し、一斉指令放送（片方向通話ＴS）のタイミングを適切に合わせることができる。
【００４３】
さらに、一斉指令放送（片方向通話ＴS）中に、指令制御装置２から双方向通話表示要求があると、要求のあった指令回線（例えば、指令電話子機Ｔａ１）の指令回線名称部１２ａを第二色（例えば、水色）点灯で表示するので、指令卓Ａの司令員は、双方向通話ＴBの相手である指令回線（例えば、指令電話子機Ｔａ１）を認識しながら、緊急連絡などに対応することができる。
【００４４】
また、双方向通話ＴB中に、指令制御装置２から双方向通話禁止表示要求あると、要求のあった指令回線（例えば、指令電話子機Ｔａｋ）の指令回線名称部１２ａを第三色（例えば、薄紫色）点灯で表示するので、指令卓Ａの司令員は、双方向通話ＴBの禁止された相手である指令回線（例えば、指令電話子機Ｔａｋ）から緊急連絡があることを認識し、一斉指令放送（片方向通話ＴS）の中で、指令電話子機Ｔａｋからの双方向通話要求が可能になった時点で、指令電話子機Ｔａｋに双方向通話ＴBの要求を出すように伝えることができる。
【００４５】
さらに、一斉指令呼出し時に、所定の指令電話子機Ｔａｆが予め不在設定されている場合で、指令制御装置２から不在表示要求があると、要求のあった指令回線（例えば、指令電話子機Ｔａｆ）の指令回線名称部１２ａを第四色（青色）点灯で表示するので、指令卓Ａの司令員は、指令電話子機Ｔａｆの駅員が不在であることを認識し、現在の一斉指令が終了した後に、個別に指令電話子機Ｔａｆを呼び出して指令を通知することができる。
【００４６】
図４はこの発明に係る一斉指令の一実施の形態表示画面遷移図である。なお、指令卓Ａから一斉指令を実行し、グループの対象は、指令電話子機Ｔａ１〜Ｔａｎ（指令回線０１〜ｎ）として説明する。
【００４７】
グループ一斉指令に際して、指令卓Ａの司令員が図２に示すファンクションキー部１３の一斉指令呼出しキー（グループ一斉指令キー）を押下すると、照光式押し釦スイッチが例えば、緑色点灯し、グループ一斉呼出し信号を出力する（スタート）。
【００４８】
グループ一斉呼出し信号により、グループの指令電話子機Ｔａ１〜Ｔａｎが呼び出されると、指令制御装置２から送信されてくる一斉呼出し表示要求に基づいて、指令電話子機Ｔａ１〜Ｔａｎに対応する図３に示すカラーディスプレイ部１２の指令回線０１〜ｎの指令回線名称部１２ａが緑色点滅表示をする（状態１）。
【００４９】
グループ一斉呼出しに指令電話子機Ｔａ１〜Ｔａｎがハンドセットを持ち上げて（オフフック）応答すると、指令制御装置２から送信されてくる応答表示要求に基づいて、応答した指令電話子機に対応した指令回線名称部１２ａ（例えば、指令回線０１、０２）が緑色点灯表示する（状態２）。一方、未応答の指令電話子機に対応した指令回線名称部１２ａ（例えば、指令回線ｎ）は、指令呼出し中を表す緑色点滅表示を継続する。
【００５０】
指令卓Ａの司令員は、指令電話子機Ｔａ１〜Ｔａｎの応答状態を指令回線名称部１２ａのカラー表示で確認し、大部分が応答した時点で、指令開始部１２ｃを操作して一斉指令放送（片方向通話ＴS）を開始する。
【００５１】
一斉指令放送（片方向通話ＴS）中に、任意の指令電話子機（例えば、指令電話子機Ｔａ１）から緊急連絡を指令卓Ａに通知する目的で、指令電話子機Ｔａ１のフッキングを行うと、指令電話子機Ｔａ１から切替信号Ｓｗが指令制御装置２に送信される。指令制御装置２から送信されてくる双方向通話表示要求に基づいて、指令電話子機Ｔａ１に対応した指令回線名称部１２ａ（指令回線０１）が水色点灯表示する（状態３）。一方、一斉指令放送（片方向通話ＴS）を受信している指令電話子機に対応した指令回線名称部１２ａ（指令回線０２）は、緑色点灯表示を継続し、未応答（指令呼出し中）の指令電話子機に対応した指令回線名称部１２ａ（指令回線ｎ）は、緑色点滅表示を継続する。
【００５２】
この状態では、指令卓Ａと指令電話子機Ｔａ１は、会議トランク３を介して接続され、指令卓Ａと指令電話子機Ｔａ１の双方向通話ＴBが可能となり、一斉指令放送（片方向通話ＴS）中であっても、指令電話子機Ｔａ１と指令卓Ａとの間で双方向通話ＴBができ、指令電話子機Ｔａ１から指令卓Ａに緊急連絡をし、指令卓Ａの指示を受けることができる。この状態では、双方向通話ＴBの音声がミキシングされ、一斉指令通信（片方向通話ＴS）として指令電話子機Ｔａ１以外の指令電話子機に一斉放送されるので、一斉指令放送を受信している指令電話子機は、双方向通話ＴBの内容を聞き取ることができる。
【００５３】
続いて、双方向通話ＴBに参加する指令電話子機が増え、双方向通話ＴBに参加できる指令電話子機の台数が規制台数になり、指令電話子機Ｔａｎも一斉指令呼出しに応答している状態から、指令電話子機Ｔａｎがフッキングで切替信号Ｓｗを送信すると、切替信号Ｓｗを受信した指令制御装置２は、指令電話子機Ｔａｎを規制台数オーバと判断し、双方向通信禁止表示要求を指令卓Ａに送信する。
【００５４】
指令制御装置２から送信されてくる双方向通話禁止表示要求に基づいて、指令電話子機Ｔａｎに対応した指令回線名称部１２ａ（指令回線ｎ）が薄紫色点灯表示する（状態４）。なお、この状態では、指令電話子機Ｔａｎには、一斉指令通信（片方向通話ＴS）が聞き取れるだけで、指令卓Ａとの双方向通話ＴBができないことになる。
【００５５】
状態５では、一斉指令呼出しのスタート以前から、指令電話子機Ｔａｎに不在登録がなされている場合、一斉指令呼出し中に、指令制御装置２から送信されてくる不在表示要求に基づいて、指令電話子機Ｔａｎに対応した指令回線名称部１２ａ（指令回線ｎ）が青色点灯表示する。
【００５６】
図５はこの発明に係る通信指令システムの一実施の形態グループ一斉指令接続シーケンス図である。なお、接続シーケンスは、指令卓Ａ、指令制御装置２、指令用ライン回路ＬＳ１〜ＬＳｎおよび指令電話子機Ｔａ１〜Ｔａｎを対象とする。
【００５７】
指令卓Ａからグループ一斉指令キーを操作し、グループ一斉指令を指令制御装置２に送信すると、照光式のグループ一斉指令キーが緑色点灯表示をする。
【００５８】
指令卓Ａからグループ一斉指令を受信した指令制御装置２は、ｎチャネル分の発呼メッセージを指令用ライン回路ＬＳ１〜ＬＳｎに送信し、発呼メッセージを受信した指令用ライン回路ＬＳ１〜ＬＳｎは、それぞれ呼出信号を指令電話子機Ｔａ１〜Ｔａｎに送出して、指令電話子機Ｔａ１〜Ｔａｎを鳴動し、一斉に呼び出す。この状態で、指令制御装置２は、一斉呼出し表示要求を指令卓Ａに送信して、指令卓Ａのカラーディスプレイ部１２の指令回線名称部１２ａ（指令回線０１〜ｎ）を緑色点滅表示にさせる。
【００５９】
指令電話子機Ｔａ１〜Ｔａｎが受話器を上げて（オフフック）、一斉呼出しに応答すると、指令電話子機Ｔａ１〜Ｔａｎは、応答信号を指令用ライン回路ＬＳ１〜ＬＳｎに送出する。応答信号を受信した指令用ライン回路ＬＳ１〜ＬＳｎは、ｎチャネル分の応答メッセージを指令制御装置２に送信する。この状態で、指令制御装置２は、応答表示要求を指令卓Ａに送信して、指令卓Ａのカラーディスプレイ部１２の指令回線名称部１２ａ（指令回線０１〜ｎ）を緑色点灯表示にさせる。また、指令制御装置２は、指令卓Ａと指令電話子機Ｔａ１〜Ｔａｎを接続し、片方向通話ＴSの通話路を形成する。
【００６０】
指令卓Ａの指令開始キーを操作し、一斉指令放送をすると指令電話子機Ｔａ１〜Ｔａｎは、片方向通話ＴSの一斉指令放送を聞き取ることができる。
【００６１】
一斉指令放送中に、例えばｊ駅に緊急事態が発生し、統合司令室に緊急連絡をして指示を仰いだり、近隣のｋ駅に応援を要請するようなとき、指令電話子機Ｔａｊは、フッキングにより、切替信号Ｓｗを指令用ライン回路ＬＳｊに送信する。切替信号Ｓｗを受信した指令用ライン回路ＬＳｊは、双方向切替信号を指令制御装置２に送信する。
【００６２】
双方向切替信号を受信した指令制御装置２は、指令卓Ａと指令電話子機Ｔａｊを会議トランク３を介して接続し、双方向通話ＴBの通話路を形成して指令卓Ａと指令電話子機Ｔａｊの双方向通話ＴBを可能にする。また、会議トランク３は、指令卓Ａの音声信号と指令電話子機Ｔａｊの音声信号をミキシングし、指令卓Ａから指令卓Ａと指令電話子機Ｔａｊの双方向通話ＴBの内容を片方向通話ＴSで送信し、指令電話子機Ｔａｊを除く指令電話子機Ｔａ１〜Ｔａｎにも聞き取り可能にする。
【００６３】
この状態で、指令制御装置２は、双方向通話表示要求を指令卓Ａに送信して、指令卓Ａのカラーディスプレイ部１２の指令回線名称部１２ａ（指令回線ｊ）を水色点灯表示にさせる。指令卓Ａの司令員は、指令回線名称部１２ａ（指令回線ｊ）を見て、双方向通話ＴBの相手が指令電話子機Ｔａｊであることを認識し、指令電話子機Ｔａｊからの緊急連絡を受けて、適切な指示を行うことができる。また、近隣のｋ駅に応援を要請する必要がある場合には、指令卓Ａと指令電話子機Ｔａｊの双方向通話ＴBの内容を片方向通話ＴSで送信しているので、指令卓Ａまたは指令電話子機Ｔａｊから指令電話子機Ｔａｋに呼び掛けることができる。
【００６４】
また、指令電話子機Ｔａｋが双方向通話ＴBに参加する場合には、指令電話子機Ｔａｋのフッキングを行い、切替信号Ｓｗを指令用ライン回路ＬＳｋに送信することにより、これ以降には、指令電話子機Ｔａｊの場合と同様なシーケンスで双方向通話ＴBに参加することができる。
【００６５】
指令卓Ａ、指令電話子機Ｔａｊおよび指令電話子機Ｔａｋが双方向通話ＴBを実行中に、他の指令電話子機（例えば、指令電話子機Ｔａｎ）から双方向通話要求がある場合のシーケンスについて説明する。ただし、指令制御装置２には、予め双方向通話ＴBの指令電話子機の台数が２台に規制されているものとする。
【００６６】
指令電話子機Ｔａｎは、フッキングにより、切替信号Ｓｗを指令用ライン回路ＬＳｎに送信する。切替信号Ｓｗを受信した指令用ライン回路ＬＳｎは、双方向切替信号を指令制御装置２に送信する。双方向切替信号を受信した指令制御装置２は、規制台数２台と３台目を比較して判定し、指令電話子機Ｔａｎの双方向通話ＴBへの参加を禁止する。
【００６７】
この状態で、指令制御装置２は、双方向通話禁止表示要求を指令卓Ａに送信して、指令卓Ａのカラーディスプレイ部１２の指令回線名称部１２ａ（指令回線ｎ）を薄紫色点灯表示にさせる。指令卓Ａの司令員は、指令回線名称部１２ａ（指令回線ｎ）の薄紫色点灯表示を見て、指令電話子機Ｔａｎから双方向通話の要求があり、禁止されたことを認識することができる。指令電話子機Ｔａｎは、フッキングをする以前の一斉指令放送（片方向通話ＴS）を受令する状態を継続することになる。
【００６８】
なお、双方向通話に対する指令電話子機の台数の規制は、指令卓Ａの司令員が双方向通話に切替える指令電話子機の台数が多くなることによって、複数の音声が混在して聞き取りにくくなるケースを考慮して、保守用コンソール４のデータ設定により、双方向通話が可能な指令電話子機の台数を任意に設定できるようにする。
【００６９】
双方向通話ＴBを含む一斉指令放送（片方向通話ＴSＴS）が終了し、指令卓Ａが受話器を置く（オンフック）と、回線解放がなされ、指令卓Ａおよび指令電話子機Ｔａ１〜Ｔａｎが待機状態に復旧する。指令卓Ａのカラーディスプレイ部１２の指令回線名称部１２ａ（指令回線０１〜ｎ）のカラー表示が消灯されることになる。
【００７０】
本実施の形態では、指令卓Ａと指令電話子機Ｔａ１〜Ｔａｎについて説明したが、指令卓Ｂ〜Ｎと指令電話子機Ｔｂ１〜Ｔｂｎについても、本発明を同様に適用することができる。
【００７１】
以上説明したように、この発明に係る通信指令システム１において、指令卓Ａは、指令制御装置２からの表示要求に対応して、複数の指令電話子機Ｔａ１〜Ｔａｎの一斉呼出し状態、応答状態、双方向通話状態、双方向通話禁止状態をカラーで表示するカラー表示器（カラーディスプレイ部１２）と、カラー表示器のカラー表示を制御するカラー表示制御手段とを備えたので、指令卓Ａの管轄するグループの一斉指令に対する複数の指令電話子機Ｔａ１〜Ｔａｎの動作状態をカラー表示画面上で認識することができ、指令卓Ａの司令員の指令業務を円滑に運用することができる。
【００７２】
また、この発明に係る指令制御装置２は、指令卓Ａから複数の指令電話子機Ｔａ１〜Ｔａｎへ片方向通話ＴSの一斉指令放送を実行中に、指令電話子機（例えば、指令電話子機Ｔａｊ）から双方向通話ＴBへの切替信号Ｓｗを受信すると、切替信号Ｓｗを発生した指令電話子機（指令電話子機Ｔａｊ）と指令卓Ａを会議トランク３に接続し、会議トランク３を介して指令電話子機Ｔａｊと指令卓Ａとの双方向通話ＴBを実行制御するので、一斉指令放送を受信中の駅などに一刻を争う緊急事態が発生した場合、指令電話子機から双方向通話への切替信号Ｓｗを送出し、指令卓と指令電話子機とを双方向通話状態にして、指令電話子機から指令卓に緊急事態を報告し、指令卓から指示を仰ぐことができるとともに、近隣の駅の指令電話子機も切替信号Ｓｗを送出して双方向通話に加わってもらい、応援を要請することもでき、駅で発生した緊急事態などに協力して迅速に対応することができる。
【００７３】
さらに、この発明に係る指令制御装置２は、双方向通話ＴBへの切替信号Ｓｗを発生する指令電話子機の台数が予め設定した規制台数を超えた場合、規制台数を超えた指令電話子機の双方向通話ＴBを禁止するので、双方向通話（会議通話）に参加する指令電話子機の台数を制限して、通話内容を聞き取り易くすることができ、使い勝手の良さをアピールすることができる。
【００７４】
次に、指令卓の表示法について説明する。図６はこの発明に係る指令卓の一実施の形態表示フロー図である。図６において、指令卓のカラーディスプレイ部への表示方法は、ステップＳ１で、指令電話子機の一斉呼出しを第一色（緑色）点滅で表示する。
【００７５】
ステップＳ２では、呼出しに応答した指令電話子機を第一色（緑色）点灯で表示する。
【００７６】
ステップＳ３では、一斉通報中に、指令電話子機から双方向通話の要求があり、要求があった指令電話子機を第二色（水色）点灯で表示する。
【００７７】
ステップＳ４では、指令電話子機から双方向通話の要求があっても、規制数を超えた場合には、要求があった指令電話子機を第三色（薄紫）点灯で表示する。
【００７８】
このように、この発明に係る指令卓の表示方法は、指令電話子機の一斉呼出しを第一色（緑色）点滅で表示するステップＳ１と、呼出しに応答した指令電話子機を第一色（緑色）点灯で表示するステップＳ２と、一斉通報中に、指令電話子機から双方向通話の要求があり、要求があった指令電話子機を第二色（水色）点灯で表示するステップＳ３と、指令電話子機から双方向通話の要求があっても、規制数を超えた場合には、要求があった指令電話子機を第三色（薄紫）点灯で表示するステップＳ４とを備えたので、複数の指令電話子機の状態を一目で認識することができ、利便性の向上をアピールすることができる。
【００７９】
また、図６において、この発明に係る指令卓の表示方法は、ステップＳ１と並行して、指令電話子機が予め不在設定されている場合、一斉呼出し時に、第四色（青色）点灯と、不在を表す文字（ABS）で表示するサブステップＳＵＢ１を備える。
【００８０】
このように、この発明に係る指令卓の表示方法は、指令電話子機が予め不在設定されている場合、一斉呼出し時に、第四色（青色）点灯と、不在を表す文字（ABS）で表示サブステップＳＵＢ１を備えたので、指令卓の司令員は、画面上の色ならびに文字表示から駅員の不在を確認し、一斉指令放送終了時に、再度、駅員不在の指令電話子機向けに指令を発することができ、一斉指令放送の漏れを最小限に抑えることができる。
【００８１】
なお、本実施の形態では、第一色を緑色、第二色を水色、第三色を薄紫色、第四色を青色で表示したが、指令卓の司令員が見やすい任意の色で表示してもよい。
【産業上の利用可能性】
【００８２】
本発明に係る通信指令システムは、一斉指令放送時に、指令卓の表示画面上に指令電話子機（指令回線）の状態を、状態に即したカラー表示するとともに、指令電話子機から指令卓に緊急の要件を双方向通話で通知可能にすることにより、指令卓の司令員の指令業務を円滑に運用することができるものであり、一斉指令放送を行うあらゆる通信指令システムに適用することができる。
【図面の簡単な説明】
【００８３】
【図１】この発明に係る通信指令システムの一実施の形態システム構成図
【図２】この発明に係る指令卓の一実施の形態概観図
【図３】この発明に係るカラーディスプレイ部の一実施の形態表示画面図
【図４】この発明に係る一斉指令の一実施の形態表示画面遷移図
【図５】この発明に係る通信指令システムの一実施の形態グループ一斉指令接続シーケンス図
【図６】この発明に係る指令卓の一実施の形態表示フロー図
【図７】従来の通信指令システムの一実施例システム構成図
【符号の説明】
【００８４】
１    通信指令システム
２    指令制御装置
３    会議トランク
４    保守用コンソール
５    データ搬送装置
６    ＬＡＮノード
７    通話路制御装置
８    中央制御装置
９    主記憶装置
１０    受話器置き部
１１    受話器フックスイッチ部
１２    カラーディスプレイ部
１２ａ    指令回線名称部
１２ｂ    指令呼出し部
１２ｃ    指令開始部
１３    ファンクションキー部
１４    ハンドセット接続用モジュラジャック
１５    左受話音量ボリューム
１６    右受話音量ボリューム
ＬＮａ〜ＬＮｎ    指令卓ライン回路
Ａ〜Ｎ    指令卓
ＬＳ１〜ＬＳｎ    指令用ライン回路
ＤＬ１〜ＤＬｎ    デジタル専用線トランク
Ｔａ１〜Ｔａｎ，Ｔｂ１〜Ｔｂｎ    指令電話子機
ＴS    片方向通話
ＴB    双方向通話
Ｓｗ    切替信号
【図１】
2007134882.tif 000003
【図２】
2007134882.tif 000004
【図３】
2007134882.tif 000005
【図４】
2007134882.tif 000006
【図５】
2007134882.tif 000007
【図６】
2007134882.tif 000008
【図７】
2007134882.tif 000009